(57)【要約】【課題】溶着による遮断不良を確実に防止できるし、機器の破壊や火災といった重大な事故を防ぐことができる高い信頼性を有する感熱型電気回路遮断部品を提供する。【解決手段】本発明に係る感熱型電気回路遮断部品は、第一の固定電極と、第一の可動電極と、当該第一の可動電極と独立して可動する第二の可動電極と、第二の固定電極とが、当該順に電気的に直列に接続された直列電極部と、所定の温度で溶融する感温溶融部とを有し、感温溶融部が溶融した際に、第一の可動電極および第二の可動電極が移動するスペースが得られることで、電極部における直列回路上の位置が異なる２か所以上の電極間が離間することを特徴とするものである。【選択図】図１
2018098107.tif 000002
【特許請求の範囲】
【請求項１】
第一の固定電極と、第一の可動電極と、当該第一の可動電極と独立して可動する第二の可動電極と、第二の固定電極とが、当該順に電気的に直列に接続された直列電極部と、
所定の温度で溶融する感温溶融部と、
を有し、
上記感温溶融部が溶融した際に、上記第一の可動電極および上記第二の可動電極が移動するスペースが得られることで、上記電極部における直列回路上の位置が異なる２か所以上の電極間が離間する
ことを特徴とする感熱型電気回路遮断部品。
【請求項２】
導電性ケースと、
当該導電性ケースと電気的に接続された上記第一の固定電極と、
上記導電性ケースと電気的に遮断された上記第二の固定電極と、
上記導電性ケースと電気的に接続された上記第一の可動電極と、
上記導電性ケースと電気的に遮断された上記第二の可動電極と、
を有し、
上記第一の可動電極と上記第二の可動電極間、および上記第二の固定電極と上記第二の可動電極間が離間する
ことを特徴とする請求項１に記載の感熱型電気回路遮断部品。
【請求項３】
電気的に遮断された２の領域を有する導電性ケースと、
当該導電性ケースと電気的に遮断された上記第一の固定電極と、
上記導電性ケースと電気的に遮断された上記第二の固定電極と、
上記導電性ケースのひとつの領域と電気的に接続された上記第一の可動電極と、
上記導電性ケースの他の領域と電気的に接続された上記第二の可動電極と、
上記第一の可動電極と上記第一の可動電極間に設けられた第三の固定電極と、
を有し、
上記第一の感温溶融部が溶融することで上記第一の可動電極と上記第三の固定電極間が離間し、
上記第二の感温溶融部が溶融することで上記第二の可動電極と上記第三の固定電極間が離間する
ことを特徴とする請求項１に記載の感熱型電気回路遮断部品。
【請求項４】
導電性ケースと、
当該導電性ケースと電気的に遮断された上記第一の固定電極と、
上記導電性ケースと電気的に遮断された上記第二の固定電極と、
上記導電性ケースと電気的に接続された上記第一の可動電極と、
上記導電性ケースと電気的に接続された上記第二の可動電極と、
を有し、
上記第一の固定電極と上記第一の可動電極間、および上記第二の固定電極と上記第二の可動電極間が離間する
ことを特徴とする請求項１に記載の感熱型電気回路遮断部品。
【請求項５】
請求項２に記載の感熱型電気回路遮断部品において、
上記第二の固定電極と上記第二の可動電極間に第三の可動電極を設けた
ことを特徴とする感熱型電気回路遮断部品。
【発明の詳細な説明】
【技術分野】
【０００１】
本発明は、電気機器等において発生する過剰な温度を検出して、通電を遮断する感熱型電気回路遮断部品に関するものである。
【背景技術】
【０００２】
感熱型電気回路遮断部品とは、周囲温度が上昇した際に所定の温度で作動し、各種の電気機器や装置において電流遮断を行うことで、装置・機器類を保護する、いわゆる非復帰型温度スイッチである。
感熱型電気回路遮断部品としては、非導電性の感温物質である感温ペレットを用いるものが一般的である。感温ペレットの材質を変えることで、動作温度を自由に設定することができる。
【０００３】
感熱型電気回路遮断部品における最大の課題のひとつは、接点部から発生する電気火花（アーク）により電極部品間に溶着が生じ、遮断不良を起こすことである。例えば、接続されている負荷が経時劣化により低抵抗状態となるなどして部品の通電電流値が大きくなり、なおかつ、部品が動作する瞬間の交流電流がピーク付近であると、電極間でのアークにより電極同士の溶着や絶縁性能の低下が生じる。このような遮断不良は、装置・機器類に重大なダメージを及ぼし、最悪の場合には火災を引き起こす原因にもなる。
【０００４】
上記の課題を解決するため、中空の金属ケースと、金属ケースの片端に配設された第２リードと、金属ケースの開口端を閉止する絶縁管と、絶縁管を貫通し内方端を接点とする第１リードを有し、第２リードに接して配設された感温ペレットと、感温ペレットを介して第１リードの内方端に当接し常時開離方向に付勢された可動接点とを備えた感温ペレット型温度ヒューズにおいて、第１リードの内方端周縁を絶縁管に形成された周壁で囲んで、絶縁管と可動接点との間隙Ｌ１を狭くして第１リード内方端の露出面積を抑制することにより、第１リードの接点に当接する可動接点と第１リードの接点が開離する際に発生するアーク放電から周壁の外側に配置された圧縮ばね等の金属部品を遮蔽したことを特徴とする感熱型電気回路遮断部品が提案されている（例えば、特許文献１）。
【先行技術文献】
【特許文献】
【０００５】
【特許文献１】特開２０１４−７１１６号公報
【発明の概要】
【発明が解決しようとする課題】
【０００６】
しかし、特許文献１に開示された感熱型電気回路遮断部品においては、溶着等の遮断不良が起こるリスクをある程度は抑制できるものの、完全にそのリスクを回避できるものではなかった。
【０００７】
本発明は上記の問題点を解決するためになされたもので、複数の遮断ポイントを設けることで、溶着等の遮断不良を確実に回避することを目的とした感熱型電気回路遮断部品を提供するものである。
【課題を解決するための手段】
【０００８】
この発明に係る感熱型電気回路遮断部品は、第一の固定電極と、第一の可動電極と、当該第一の可動電極と独立して可動する第二の可動電極と、第二の固定電極とが、当該順に電気的に直列に接続された直列電極部と、所定の温度で溶融する感温溶融部とを有し、上記感温溶融部が溶融した際に、上記第一の可動電極および上記第二の可動電極が移動するスペースが得られることで、上記電極部における直列回路上の位置が異なる２か所以上の電極間が離間することを特徴とするものである。
【発明の効果】
【０００９】
この発明に係る感熱型電気回路遮断部品においては、複数の遮断ポイントを設けているので、溶着等の遮断不良を確実に回避できる。特に、外部機器等と接続するふたつの固定電極を両端とした直列回路として感熱型電気回路遮断部品は構成されているが、この直列回路内に独立して可動する２以上の可動電極を設けたことで、直列に２以上の遮断ポイントを設けている。これら直列に設けられた遮断ポイントにおいては、電位が微妙に異なるため、同時にアークが発生する可能性はほぼゼロである。なぜなら、１つの遮断ポイントにおいてアークが発生した場合、その遮断ポイントに電気エネルギーが集中するため、電位の異なる遮断ポイントにおいてアークが発生することは不可能だからである。さらに、可動電極は独立して動くことができるため、仮に、ひとつの可動電極と隣接する固定電極が溶着しても、もうひとつの可動電極は必ず他の電極と十分な距離を離間し、通電を遮断できる。仮に、ひとつの可動電極と隣接する可動電極が溶着した場合には、それら溶着した二つの可動電極は、隣接するいずれかの電極と必ずと十分な距離を離間し、通電を遮断できる。
したがって、ひとつの遮断ポイントが溶着した場合であっても、他の遮断ポイントで通電を遮断できるため、直列回路全体として遮断不良が起きることはない。
【００１０】
このように、本発明に係る感熱型電気回路遮断部品においては、溶着による遮断不良を防止できるため、危機の破壊や火災といった重大な事故を防ぐことができる。すなわち、信頼性および安全性の極めて高い感熱型電気回路遮断部品を提供できる。
【図面の簡単な説明】
【００１１】
【図１】本発明の実施の形態１に係る感熱型電気回路遮断部品の構成を示す断面図であり、（ａ）は通電時の、（ｂ）は遮断時の断面図である。
【図２】本発明の実施の形態２に係る感熱型電気回路遮断部品の構成を示す断面図であり、（ａ）は通電時の、（ｂ）は遮断時の断面図である。
【図３】本発明の実施の形態３に係る感熱型電気回路遮断部品の構成を示す断面図であり、（ａ）は通電時の、（ｂ）は遮断時の断面図である。
【図４】本発明の実施の形態４に係る感熱型電気回路遮断部品の構成を示す断面図であり、（ａ）は通電時の、（ｂ）は遮断時の断面図である。
【発明を実施するための形態】
【００１２】
実施の形態１．
本発明の実施の形態に係る感熱型電気回路遮断部品の構成について、図を用いて以下に説明する。以下に４つの実施の形態を示すが、これらは本発明を良好に実施するための良好な構成例を開示するものであり、本発明を４つの実施の形態に示す構成に具体的に限定するものではない。
【００１３】
４つの実施の形態に共通する構成は、第一の固定電極と、第一の可動電極と、当該第一の可動電極と独立して可動する第二の可動電極と、第二の固定電極とが、当該順に電気的に直列に接続された直列電極部と、所定の温度で溶融する感温溶融部とを有し、上記感温溶融部が溶融した際に、上記第一の可動電極および上記第二の可動電極が移動するスペースが得られることで、上記電極部における直列回路上の位置が異なる２か所以上の電極間が離間することである。
【００１４】
なお、上記において、電極、固定電極、可動電極は以下に定義するもの意味する。
＜電極＞
良導体で形成された部品、または部品群。
部品群とは、部品同士が接触等により非常に小さな電気抵抗によって電気的に接続された一群である。部品とは、例えば、金属辺、リード線、導電性ケース等である。
＜固定電極＞
上述した定義に基づく電極であり、感温溶融部が溶融した際に、ケース等に固定されて位置を変えないもの。
＜可動電極＞
上述した定義に基づく電極であり、感温溶融部が溶融した際に、固定電極に対して相対的な位置変動が生じ得る状態にあるもの。
【００１５】
実施の形態１．
図１は、本実施の形態に係る感熱型電気回路遮断部品の構成を示す断面図であり、（ａ）は通電時の、（ｂ）は遮断時の断面図である。
本実施の形態に係る感熱型電気回路遮断部品は、導電性ケース１と、導電性ケース１と電気的に接続された第一の固定電極２ａと、導電性ケース１と電気的に遮断された第二の固定電極２ｂと、導電性ケース１と電気的に接続された第一の可動電極３と、導電性ケース１と電気的に遮断された第二の可動電極４とを有している。
【００１６】
途中に導電ケース１を介してであるが、第一の固定電極２ａ、第一の可動電極
３、第二の可動電極４、第二の固定電極２ｂは、この順に電気的に直列に接続された直列電極部を構成している。
【００１７】
そして、感温ペレット等よりなる感温溶融部５が溶融した際に、第一の可動電極３および第二の可動電極４が移動するスペースが得られることで、第一の可動電極３と第二の可動電極４間、および第二の固定電極２ｂと第二の可動電極４間が離間する。
【００１８】
図１（ｂ）に示すように、第一の可動電極３と第二の可動電極４間が離間することで間隙Ｇ１が、第二の固定電極２ｂと第二の可動電極４間が離間することで間隙Ｇ２が生じ、結果として、第一の固定電極２ａと第二の固定電極２ｂ間の通電が、ふたつの間隙により確実に遮断される。
【００１９】
さらに具体的な構成について述べる。
第二の可動電極４は、例えば、絶縁体である可動ガイド６によって支持されている。可動ガイド６は、図において、左右方向に可動できるようになっている。そして、可動ガイド６には、第二の可動電極４の左端に当接する小さな爪が設けられ、可動ガイド６が右方向に移動した際には、第二の可動電極４も右方向に移動するようになっている。
また、可動ガイド６は、第二の可動電極４と導電性ケース１とを電気的に確実に遮断する役割を有している。
【００２０】
第二の固定電極２ｂを囲むように、絶縁体である固定ガイド７が設けられている。固定ガイド７は、第二の固定電極２ｂを固定するとともに、第二の固定電極２ｂと導電性ケース１とを電気的に確実に遮断する役割を有している。
【００２１】
また、感熱型電気回路遮断部品には、いくつかの付勢手段が設けられている。これらの付勢手段は弾性手段や磁気力により得られる。図においては、付勢手段８ａ、８ｂ、および８ｃとして、ばねを用いている。
【００２２】
付勢手段８ａは、感温溶融部５と可動電極３との間に設けられ、感温溶融部５と可動電極３とを離間する方向に付勢している。なお、図に示すように、仕切り板９ａ、９ｂを設けても良い。仕切り板９ａ、９ｂを設けることで、付勢力を仕切り板面内において均一な力として、感温溶融部５と可動電極３に与えることができる。
付勢手段８ａを設けることで、第一の可動電極３と第二の可動電極４間、および、第二の固定電極２ｂと第二の可動電極４間を押圧し、それらの電気的接続を確実にし、接触抵抗を低減できる。
【００２３】
付勢手段８ｂは、固定ガイド７と可動ガイド６との間に設けられ、固定ガイド７と可動ガイド６とを離間する方向に付勢している。
また、付勢手段８ｃは、可動ガイド６と可動電極３の間に設けられ、可動ガイド６と可動電極３とを離間する方向に付勢している。
【００２４】
感温溶融部５が溶融していない状態、すなわち、通常の通電状態においては、付勢手段８ｂと付勢手段８ｃの付勢力の和よりも、付勢手段８ａの付勢力の方が十分に大きい。このため、第一の可動電極３と第二の可動電極４間、および、第二の固定電極２ｂと第二の可動電極４間はしっかりと押圧され、導通状態を保つことができる。
【００２５】
周囲の温度が異常に上昇し、感温溶融部５が溶融すると、付勢手段８ａが図において右側に移動し、第一の可動電極３および第二の可動電極４が移動するスペースが得られることで、第一の可動電極３と第二の可動電極４間、および第二の固定電極２ｂと第二の可動電極４間が離間する。
付勢力の大小関係で説明するならば、付勢手段８ａが伸びて付勢力が小さくなり、これにより、付勢手段８ｂと付勢手段８ｃの付勢力が勝り、第一の可動電極３と第二の可動電極４間、および、第二の固定電極２ｂと第二の可動電極４間は
離間する。
そして、ふたつの間隙Ｇ１とＧ２が生じ、電気的接続が遮断される。
【００２６】
通電時において、第一の可動電極３と第二の可動電極４間の接点と、第二の固定電極２ｂと第二の可動電極４間の接点とは、わずかに電位が異なる。遮断時において、このようにわずかであっても電位の異なる位置で、アークが同時に生じることはない。また、第一の可動電極３と第二の可動電極４間の接点と、第二の固電極２ｂと第二の可動電極４間の接点とが離間するタイミングは完全に同時
ではなく、わずかに異なるため、やはりアークは同時には生じない。一方の接点でアークが生じると、その接点で大きなエネルギーが消費されるため、他方ではアークは生じない。したがって、両方の接点が溶着することはなく、遮断不良を確実に防止できる。
【００２７】
＜検証実験＞
図１に示す感熱型電気回路遮断部品を５個作製し、過電流を流して性能を確認した。実験条件を以下に記す。
通電電流＝３０Ａ（定格電流１５Ａ の２倍）
回路電圧＝ＡＣ２５０Ｖ
絶縁抵抗値測定電圧＝ＤＣ８８０VＶ（ＩＥＣ６０６９１で規定されている測定電圧の２倍の電圧で測定）
絶縁耐圧測定電圧 ＝ＡＣ８８０Ｖ （ＩＥＣ６０６９１で規定されている測定電圧の２倍の電圧で測定）
作製した５個の感熱型電気回路遮断部品の過電流通電後の絶縁抵抗は２００ＭΩ以上であり、絶縁破壊は無かった。
【００２８】
実施の形態２．
図２は、本実施の形態に係る感熱型電気回路遮断部品の構成を示す断面図であり、（ａ）は通電時の、（ｂ）は遮断時の断面図である。
本実施の形態に係る感熱型電気回路遮断部品は、実施の形態１に係る感熱型電気回路遮断部品に、さらに第三の可動電極を設けたものである。具体的には、図２に示すように、第二の固定電極４ａと第二の可動電極２ｂ間に第三の可動電極４ｂを設けたものである。
【００２９】
感温溶融部５が溶融した際に、第一の可動電極３および第二の可動電極４ａ、第三の可動電極４ｂが移動するスペースが得られることで、第一の可動電極３と第二の可動電極４間、第二の固定電極２ｂと第三の可動電極４ｂ、第三の可動電極４ｂと第二の可動電極４間が離間する。
【００３０】
図２（ｂ）に示すように、第一の可動電極３と第二の可動電極４間が離間することで間隙Ｇ１が、第二の固定電極２ｂと第三の可動電極４ｂ間が離間することで間隙Ｇ２が、さらに、第三の可動電極４ｂと第二の可動電極４間が離間することで間隙Ｇ３が生じ、結果として、第一の固定電極２ａと第二の固定電極２ｂ間の通電が、３つの間隙により確実に遮断される。
【００３１】
このように、可動電極を直列に追加することで、遮断不良をさらに確実に防止することができる。なお、追加する可動電極の数は１に限らず、複数の可動電極を追加することもできる。
【００３２】
実施の形態３．
図３は、本実施の形態に係る感熱型電気回路遮断部品の構成を示す断面図であり、（ａ）は通電時の、（ｂ）は遮断時の断面図である。
本実施の形態に係る感熱型電気回路遮断部品は、電気的に遮断された２の領域を有する導電性ケース１１と、導電性ケース１１と電気的に遮断された第一の固定電極１２ａと、導電性ケース１１と電気的に遮断された上記第二の固定電極１２ｂと、導電性ケース１１のひとつの領域と電気的に接続された第一の可動電極１３ａと、導電性ケースの他の領域と電気的に接続された第二の可動電極１３ｂと、第一の可動電極と第一の可動電極間に設けられた第三の固定電極１４とを有している。
【００３３】
途中に導電ケース１１および第三の固定電極１４を介してであるが、第一の固定電極１２ａ、第一の可動電極１３ａ、第二の可動電極１３ｂ、第二の固定電極１２ｂは、この順に電気的に直列に接続された直列電極部を構成している。
【００３４】
ふたつの感温溶融部１５ａと１５ｂが設けられ、感温溶融部１５ａが溶融した際に、第一の可動電極１３ａが移動するスペースが得られることで、第一の可動電極１３ａと上記第三の固定電極間１４が離間し、感温溶融部１５ｂが溶融した際に、第二の可動電極１３ｂが移動するスペースが得られることで、第二の可動電極１３ｂと上記第三の固定電極間１４が離間する。
【００３５】
図３（ｂ）に示すように、第一の可動電極１３ａと第三の固定電極１４間が離間することで間隙Ｇ１が、第二の可動電極１３ｂと第三の固定電極１４間が離間することで間隙Ｇ２が生じ、結果として、第一の固定電極１２ａと第二の固定電極１２ｂ間の通電が、ふたつの間隙により確実に遮断される。
【００３６】
本実施の形態に係る感熱型電気回路遮断部品においては、ふたつの感温溶融部１５ａと１５ｂが設けられているため、一方の感温溶融部が経年劣化して溶融しなくなった際にも、他方の感温溶融部が溶融することで、電流の遮断が行われ、さらに信頼性が向上するというメリットもある。
【００３７】
実施の形態４．
図４は、本実施の形態に係る感熱型電気回路遮断部品の構成を示す断面図であり、（ａ）は通電時の、（ｂ）は遮断時の断面図である。
本実施の形態に係る感熱型電気回路遮断部品は、導電性ケース２１と、導電性ケース２１と電気的に遮断された第一の固定電極２２ａと、導電性ケース２１と電気的に遮断された第二の固定電極２２ｂと、導電性ケース２１と電気的に接続された第一の可動電極２３ａと、導電性ケース２１と電気的に接続された第二の可動電極２３ｂとを有している。
【００３８】
途中に導電ケース２１を介してであるが、第一の固定電極２２ａ、第一の可動電極２３ａ、第二の可動電極２３ｂ、第二の固定電極２２ｂは、この順に電気的に直列に接続された直列電極部を構成している。
【００３９】
そして、感温溶融部２５が溶融した際に、第一の可動電極２３ａおよび第二の可動電極２３ｂが移動するスペースが得られることで、第一の固定電極２２ａと第一の可動電極２３ａ間、および第二の固定電極２２ｂと第二の可動電極２３ｂ間が離間する。
【００４０】
図４（ｂ）に示すように、第一の固定電極２２ａと第一の可動電極２３ａ間が離間することで間隙Ｇ１が、第二の固定電極２２ｂと第二の可動電極２３ｂ間が離間することで間隙Ｇ２が生じ、結果として、第一の固定電極２２ａと第二の固定電極２２ｂ間の通電が、ふたつの間隙により確実に遮断される。
【００４１】
＜本発明のまとめ＞
感熱型電気回路遮断部品における最大の課題のひとつは、接点部から発生する電気火花（アーク）により電極部品間に溶着が生じ、遮断不良を起こすことである。このような遮断不良は、装置・機器類に重大なダメージを及ぼし、最悪の場合には火災を引き起こす原因にもなる。
【００４２】
本発明はこのような重篤な事故を防止することを主目的としたものであり、基本的な構成として、第一の固定電極と、第一の可動電極と、第二の可動電極と、第二の固定電極とが、当該順に電気的に直列に接続された直列電極部と、所定の温度で溶融する感温溶融部とを有し、上記感温溶融部が溶融した際に、上記第一の可動電極および上記第二の可動電極が移動するスペースが得られることで、上記電極部における直列回路上の位置が異なる２か所以上の電極間が離間することを特徴とする感熱型電気回路遮断部品である。
【００４３】
この発明に係る感熱型電気回路遮断部品においては、複数の遮断ポイントを設けているので、溶着等の遮断不良を確実に回避できる。特に、外部機器等と接続するふたつの固定電極を両端とした直列回路として感熱型電気回路遮断部品は構成されているが、この直列回路内に独立して可動する２以上の可動電極を設けたことで、直列に２以上の遮断ポイントを設けている。これら直列に設けられた遮断ポイントにおいては、電位が微妙に異なるため、同時にアークが発生する可能性はほぼゼロである。なぜなら、１つの遮断ポイントにおいてアークが発生した場合、その遮断ポイントに電気エネルギーが集中するため、電位の異なる遮断ポイントにおいてアークが発生することは不可能だからである。さらに、可動電極は独立して動くことができるため、仮に、ひとつの可動電極と隣接する固定電極が溶着しても、もうひとつの可動電極は必ず他の電極と十分な距離を離間し、通電を遮断できる。仮に、ひとつの可動電極と隣接する可動電極が溶着した場合には、それら溶着した二つの可動電極は、隣接するいずれかの電極と必ずと十分な距離を離間し、通電を遮断できる。
したがって、ひとつの遮断ポイントが溶着した場合であっても、他の遮断ポイントで通電を遮断できるため、直列回路全体として遮断不良が起きることはない。
【００４４】
このように、本発明に係る感熱型電気回路遮断部品においては、溶着による遮断不良を防止できるため、危機の破壊や火災といった重大な事故を防ぐことができる。すなわち、信頼性および安全性の極めて高い感熱型電気回路遮断部品を提供できる。
【符号の説明】
【００４５】
１ 導電性ケース
２ａ 第一の固定電極
２ｂ 第二の固定電極
３ 第一の可動電極
４、４ａ 第二の可動電極
４ｂ 第三の可動電極
５ 感温溶融部
６、６ａ、６ｂ 可動ガイド
７ 固定ガイド
８ａ、８ｂ、８ｃ、８ｄ 付勢手段
９ａ、９ｂ 仕切り板
１１ 電気的に遮断された２の領域を有する導電性ケース
１２ａ 第一の固定電極
１２ｂ 第二の固定電極
１３ａ 第一の可動電極
１３ｂ 第二の可動電極
１４ 第三の固定電極
１５ａ 第一の感温溶融部
１５ｂ 第二の感温溶融部
１７ 固定ガイド
１８ａ、１８ｂ、１８ｃ、１８ｄ 付勢手段
１９ａ、１９ｂ、１９ｃ、１９ｄ 仕切り板
２１ 導電性ケース
２２ａ 第一の固定電極
２２ｂ 第二の固定電極
２３ａ 第一の可動電極
２３ｂ 第二の可動電極
２５ 感温溶融部
２７ａ、２７ｂ 固定ガイド
２８ａ、２８ｂ、２８ｃ、２８ｄ 付勢手段
２９ａ、２９ｂ、２９ｃ、２９ｄ 仕切り板
【図１】
2018098107.tif 000003
【図２】
2018098107.tif 000004
【図３】
2018098107.tif 000005
【図４】
2018098107.tif 000006